(57)【要約】    【課題】  本発明は、視認性を有する色を呈するため、例えば第三者が危険を回避でき、しかも任意に色を変更したり、元の色に戻したりすることができるシャフト粘着用テープの提供を目的とする。    【解決手段】  鮮明な色彩を呈したテープ２、３、４を、シャフト１ａの全周または一部に添着して視認性を向上させたことを特徴とするゴルフクラブ１。  【選択図】    図１
2005040482.tif 000002
【特許請求の範囲】
【請求項１】
鮮明な色彩を呈したテープを、シャフトの全周または一部に添着して視認性を向上させたことを特徴とする
ゴルフクラブ。
【請求項２】
上記テープを、片面に接着剤を施したホログラムシートとする
請求項１に記載のゴルフクラブ。
【請求項３】
ゴルフクラブの視認性を向上させるため、ゴルフクラブのシャフトに添着する鮮明な色彩を備えた
シャフト粘着用テープ。
【請求項４】
片面に接着剤を施したホログラムシートとする
請求項３に記載のシャフト粘着用テープ。
【発明の詳細な説明】
【技術分野】
【０００１】
この発明は、ゴルフクラブ、及び、該ゴルフクラブのシャフトに添着するテープに関する。
【背景技術】
【０００２】
最近、ゴルフクラブの付加価値を高めるために、シャフトに細工を施したゴルフクラブが提案されている。
【０００３】
例えば、先行技術１（特許文献１参照）は、ゴルフクラブのシャフトの外周面の全体、または一部に補強材のテープを貼りつけたり、剥がしたりすることで、ゴルフクラブのこわさ（強さ）を調節するという技術である。
【０００４】
また、従来技術２（特許文献２参照）は、ゴルフクラブのシャフトの製造工程中において、シャフト本体の最外層に着色した樹脂フィルムを螺旋状に捲き付けてシャフト本体を加熱、硬化させて色調を変化させたクラブシャフトを形成することが提案されている。
【０００５】
【特許文献１】特開平９−２２５０７８号公報
【特許文献２】特開平８−９０６５８号公報
【発明の開示】
【発明が解決しようとする課題】
【０００６】
ところで、最近では、老若男女を問わずゴルフが完全に普及しているといえる。このような背景からゴルフレッスンに参加することや、友人とコースを回る等、日頃から複数人でゴルフをする機会が多数存在する。
【０００７】
ここで例えば、上記ゴルフレッスンに着目すると、ゴルフレッスン場においては、一般的に指定した区域のみゴルフクラブをスイングすることが許され、それ以外の区域については、安全上の理由からスイングすることが禁止されている。
【０００８】
しかし、中には上記指定区域を設けても、該区域内に入ってくる人や、該指定区域外であっても、ゴルフクラブをスイングする人も存在するため、危険である。  
また、上述したようにゴルフを複数人で楽しむ機会が増えていることを考慮すると安全対策も検討する必要がある。
【０００９】
そこで、ゴルフクラブをスイングしたときに、第三者に対して注意を促すため、最も、人に接触すると危険である該ゴルフクラブにおけるヘッドを目立つ色にすることが考えられる。
【００１０】
しかし、ゴルフクラブを購入時にヘッドは通常、目立つ色で販売されておらず、またゴルフクラブの所有者にとっては、使用するゴルフクラブが常に目立つ色であることが好ましいとは限らない。
【００１１】
そこで、不要なときは、テープを任意に剥がしたり、必要時に再度貼り付けたりすることが可能な目立つ色のテープをゴルフクラブのヘッドに添着することが考えられる。  
しかし、ゴルフのルール上、ヘッドのフェース部位に手を加えることは禁止されているため、該フェース部位にテープを添着することはできない。
【００１２】
また、ヘッドの下面に上記テープを添着した場合は、スイングしたとき、該ヘッドの下面が地面と接触してテープが剥がれてしまうため、効果がない。さらに、ヘッドのそれ以外の部位にテープを添着しても、表面形状が湾曲しているため、見栄えよく添着するのが困難である。
【００１３】
加えて、テープを上記ヘッドに貼ろうとしても、ゴルフクラブのヘッドは番手別に形状が異なるため、番手ごとに添着するテープの大きさ、形状を変更する必要があり、テープの汎用性は限定される。
【００１４】
以上より、テープは、ヘッドに貼ることに適さないといえる。このため、ゴルフクラブのシャフトに貼ることが考えられ、これに関連する先行技術として、上述した先行技術１と先行技術２とが挙げることができる。
【００１５】
しかし、上記先行技術1の場合、有色のテープをゴルフクラブのシャフトに貼り付けてこわさを調節するという記載はあるが、視認性を向上させるために積極的に有色のシールを利用することについての記載がなく、しかも該有色のシールを利用することによる特有の作用、効果については、何ら開示されていない。
【００１６】
さらに、上記先行技術２の場合、有色の樹脂フィルムをシャフト本体に巻き付けた後に加熱、硬化させて積層一体化するため、後で色調を変更したい場合、ゴルフクラブ購入後に剥がしたり、付け直したりすることができない。
【００１７】
また、仮に先行技術１に先行技術２を組み合わせたとしても、単に有色のフィルムをシャフトに貼り付けるという構成しか見出すことはできず、安全性を向上させるために積極的にシャフトの視認性を向上させたいという課題を解決することはできない。
【００１８】
そこで、本発明は、視認性を有する色を呈するため、例えば第三者が危険を回避でき、しかも任意に色を変更したり、元の色に戻したりすることができるゴルフクラブ、及び、シャフト粘着用テープの提供を目的とする。
【課題を解決するための手段】
【００１９】
本発明は、鮮明な色彩を呈したテープを、シャフトの全周または一部に添着して視認性を向上させたゴルフクラブであることを特徴とする。
【００２０】
上記テープは、赤や青の原色、蛍光色等の鮮明な色彩を呈したものであれば、いずれのテープであってもよい。
【００２１】
特に、好ましくは、上記テープを、接着剤を片面に施したホログラムシートととするとよい。
【００２２】
上記ホログラムシートは、立体的、虹色、金銀等の鮮明な色彩を呈して、ゴルフクラブの視認性を向上させることができる。  
なお、ホログラムシートとは、立体感による意外性、装飾性の効果を生かして書籍や雑誌の表紙、ならびに挿絵、ギフト商品あるいはディスプレイや広告の分野において利用されている。
【００２３】
上記ホログラムシートは、例えば、接着剤を片面に施して、シャフトに添着することができる。好ましくは、ホログラムシートを、短冊状に形成すれば、シャフトに対して添着しやすい。なお、ホログラムシートは、シャフトに添付する前は、シール台紙に添着しておけば、保管できる。
【００２４】
これらのホログラムは、その表面に干渉縞の凹凸模様が形成されて成るものであり、その表面に白色光が照射されると凹凸表面による反射回折が互いに干渉して結合し、その結像位置に立体感のある虚像が観察されるものもある。
【００２５】
また、反射回折光は波長によりその回折角が異なるため自然光が分散して得られる連続スペクトルを構成し、例えば、虹模様を呈することができる。  
このように、ホログラムは、表面における上記干渉縞を形成する部位、干渉縞どうしの間隔等により、多様な形態を形成することができる。
【００２６】
また、ホログラムシートは、シートの厚みが、薄いものから厚いものまで製造することができるため、使用者は、自分自身に、あるいはゴルフクラブに適した微妙な厚さのホログラムシートを選択することができる。よって、ゴルフのスイングする際において、技術的な面で悪影響を及ぼさない。
【００２７】
さらに、上記ホログラムシートは、太陽の光に対しては、特に綺麗に見えるという性質を有する。これに対して、ゴルフは一般的に、屋外で行われるスポーツであり、ゴルフクラブにホログラムシートを添着すれば、ホログラムシートの特徴を充分活かして使用することができる。
【発明の効果】
【００２８】
この発明によれば、ゴルフクラブのシャフトは、虹色等の視認性が高い表面であるため、目立たせることができる。このように周囲の者は無意識でも目につき意識させることができるため、例えば、周囲の者は、隣で使用者がゴルフクラブをスイングしようとしても直ぐに該ゴルフクラブの動きを察知できる。よって、周囲の者は、使用者から離れることで危険を回避することができる。
【００２９】
また、本発明のシャフト粘着用テープは、使用者が任意で剥がしたり、貼り直したりすることが可能である。よって、用途に応じて使い分けたり、他の模様と組み合わせたりすることができる。
【００３０】
さらに、本発明のゴルフクラブは、視認性を向上させるために電気、電池等を用いない。よって、半永久的に使用することができる。しかも、電池等をゴルフクラブに取り付けるのではなく、フィルム状のテープを添着するだけであるため、ゴルフクラブの本来の質量を維持できる。
【００３１】
加えて、上記シャフト粘着用テープを添着することでゴルフクラブのシャフト本体を傷から防ぐことができる。例えば、キャディバッグ収納しているゴルフクラブを出し入れする際、ヘッド自体は従来どおりカバー（収納袋）で被覆して保護できるが、上記シャフト自体も粘着用テープによって、表面に傷が付くことを保護することができる。
【００３２】
また、本発明のシャフト粘着用テープは、意匠性、装飾性が高いため、使用者は、ゴルフクラブに該シャフト粘着用テープを添着して、さまざまな模様、色を楽しむことができる。
【発明を実施するための最良の形態】
【００３３】
この発明の一実施形態を、以下図面を用いて説明する。  
図１（ａ）、（ｂ）は、ゴルフクラブ１のシャフト１ａにホログラムシート２を貼り付けた状態を示す。上記ホログラムシート２は、銀色をしているが全体が虹色の光沢を呈している。
【００３４】
上記ホログラムシート２の外形形状は、図２（ａ）に示すごとく、シャフト１ａへ添着する前における長手方向の両端部における幅方向の辺のうち、長い方の辺がシャフト１ａの上端部外周長さ（上辺２ａ）に対応し、短い方の辺がシャフト１ａの下端部外周長さ（下辺２ｂ）に対応している。  
さらに、上記上辺２ａ、及び下辺２ｂにおける両端部を、同じ傾斜角度のテーパ形状で、且つ、略シャフト１ａの長手方向の長さを有して結んだ台形形状をしている。
【００３５】
また、上記ホログラムシート２の厚みは、シャフト１ａの太さ等に応じて様々な厚さを選択することができるが（例えば、１６μｍ〜１００μｍ）、シャフト１ａへ添着後に剥がれ難く、ホログラムシート２自体の強度の面等を考慮して５０μｍ程度の厚さが好ましい。
【００３６】
以下、このようなホログラムシート２の製造方法の一例を説明する。  
まず、基材にレジスト膜を添付し、レジスト膜に対して干渉露光工程を行う。上記干渉露光工程は、干渉性を有する例えばレーザから発振された光を２つに分割し、その２光を再び重ねることで干渉縞を形成する２光束干渉露光を行う。
【００３７】
そして、現像処理工程を行う。該現像処理工程により、レジスト膜の現像処理を行い、レジストパターンを作成する。  
さらに、レジストパターンの表面に蒸着等によりＮｉ膜を形成し、さらに、電鋳法により充分厚いＮｉ層を形成する。
【００３８】
また、Ｎｉ層からレジストパターンと基板を剥離し、Ｎｉ層の表面にホトポリマを滴下するとともにガラス基板を重ねる。  
最後にＮｉ層を剥離し、ガラス基板側から紫外線を照射してホトポリマをUV硬化させる。
【００３９】
以上の工程により、ホログラムシート２が製造することができるが、その片面に接着剤を塗布してホログラムシート２をシール状に形成することができる。  
なお、上記ホログラムシート２は、通常シール台紙に着脱可能に添着して一体になっている。
【００４０】
また、上記ホログラムシート２の表面全体には、干渉縞の凹凸が形成されているため、光を照射すると反射光が分散して連続スペクトルを構成し、該ホログラムシート２の表面全体は虹色に見える。
【００４１】
すなわち、ホログラムシート２表面における干渉縞の凹凸形状は、上記レジストパターンの形状によって定まる。よって、模様を付けたい部位にのみ干渉縞を形成する、あるいは金色のシート上に干渉縞を形成する等して様々な形態のホログラムシート２を構成することができる。
【００４２】
例えば、上記様々な形態のホログラムシート２をセット、又は単品ごとに販売し、使用者が購入後、用途に応じて任意に貼り替えることができる。
【００４３】
次に、ホログラムシート２のシャフト１ａへの添着する手順をシャフト１ａの上側に対応するホログラムシート４を添着する場合を例に採り説明を行う。  
まず、使用者は、ホログラムシート４のシール台紙を離間して、ホログラムシート４の接着面を上側になるよう机等の水平な台に載置する。該ホログラムシート４の上辺４ａにシャフト１ａの上端部が、下辺４ｂにシャフト１ａの下端部が位置する方向で、ホログラムシート２の幅方向の一方の端部にシャフト１ａを臨ませて、接触させる。
【００４４】
この際、机等の端部からゴルフクラブ1のヘッド、あるいは必要であればグリップが突き出すようにして机と接触しないようにゴルフクラブ1を載置すれば、シャフト１ａ全体をホログラムシート2に接触させることができる。
【００４５】
そして、ホログラムシート４に対してゴルフクラブ1を、ホログラムシート２の幅方向の他方の端部側に回転させて、図３に示すごとくホログラムシート４をシャフト１ａの外周に巻きつけるように添着する。このように添着すれば、ホログラムシート４に皺や弛みが生じずに見栄えよくシャフト１ａに取り付けることができる。  
さらには、他の発明の形態としてホログラムシートを例えば、図２（ｂ）のように長手方向の長さが上記ホログラムシート２の半分の長さで、シャフト１ａの上半分と下半分とに対応するように構成し、シャフト１ａの上下が異なる模様、あるいは色となるような組み合わせで添着することができる。
【００４６】
この際、ホログラムシート３、４のシャフト１ａへの添着する手順を上記ホログラムシートを添着する手順とは異なる手順で説明を行う。  
まず、使用者は、ホログラムシート４のシール台紙を離間して、該ホログラムシート４の上辺４ａをシャフト１ａの上端部に、下辺４ｂをシャフト１ａの中央部に位置する方向で、ホログラムシート２の幅方向の中心軸にシャフト１ａを臨ませて、接触させる。
【００４７】
そして、シャフト１ａに対して右側、及び左側に位置するシール台紙をそれぞれの側からシャフト１ａの外周に巻きつけるように添着するとホログラムシート４に皺や弛みが生じずに見栄えよく取り付けることができる。  
さらに、シャフト１ａの下側に対応するホログラムシート３を添着する場合もシャフト１ａの上側に添付した同様と同様の手順で添着することができる。
【００４８】
このように、シャフト１ａの上下各側についてホログラムシート３、４を添着すれば、図４のごとくゴルフクラブ１を構成することができる。
【００４９】
上記ゴルフクラブ１は、シャフト１ａが虹色等の視認性が高い表面であるため、目立たせることができる。よって、該ゴルフクラブ１の使用者の周囲の人は、該使用者がスイングしようとしても直ぐに該ゴルフクラブ１の動きを察知して離れることで危険を回避することができる。
【００５０】
なお、使用者は、例えば上記ホログラムシート３、４の一方のみを用いて、シャフト１ａの一部分にのみ添付しても一定の視認性を確保できるため構わない。
【００５１】
また、ホログラムシート２、３、４をシャフト１ａに添着したゴルフクラブ１は、その視認性の高さを活かして、練習用においても活用することができる。
【００５２】
例えば、スイングしようとする使用者の対向側に市販のビデオカメラを設置し、ゴルフクラブ１をスイングする動作を録画する。上記録画した動作をスローで再生すれば、シャフト１ａが日光等に対して反射することで、該シャフト１ａの軌跡が鮮明に浮き立たせることができる。  
よって、使用者は、ホログラムシート２、３、４を視認性を有するゴルフクラブ１を練習用のゴルフクラブ１として、自らのスイングするフォームを矯正するためにも用いることができる。
【００５３】
またこの発明は、上述の実施形態の構成のみに限定されるものではなく、多くの実施の形態を得ることができる。
【図面の簡単な説明】
【００５４】
【図１】本発明のゴルフクラブの外観図（ａ）、図１（ａ）におけるＡＡ断面部（ｂ）。
【図２】本発明のホログラムシートの正面図（ａ）、本発明の他のホログラムシートの正面図（ｂ）。
【図３】本発明のホログラムシートをゴルフクラブに添着する様子を一部拡大して表した外観図。
【図４】本発明の他のゴルフクラブの外観図。
【符号の説明】
【００５５】
１…ゴルフクラブ
２、３、４…ホログラムシート
１ａ…シャフト
【図１】
2005040482.tif 000003
【図２】
2005040482.tif 000004
【図３】
2005040482.tif 000005
【図４】
2005040482.tif 000006